(57)【要約】【課題】              シリンダ錠の不正開錠を防止すること。【解決手段】          内ピン７の外方端と外ピン８の内方端に、内ピン７と外ピン８が互いに吸引される向きの極性を持つ永久磁石７ａ、８ａを、それぞれ埋め込む。不正開錠をしようと、道具を使って内筒３にテンションをかけても、内ピン７の外方端と外ピン８の内方端とが接触している時には、両ピン７、８の軸線は常に一致して、あたかも縦につながった一本の長いピンのようになり、したがって内ピン７と外ピン８の接触面を外筒２と内筒３のシヤーラインに合わせることは困難である。【選択図】            図６
2005290909.tif 000002
【特許請求の範囲】
【請求項１】
内面が円筒状に形成された外筒と、
該外筒の円筒状内面に回転自在に嵌装されるとともに、キーが軸線方向に抜差し自在に挿入されるキー孔が設けられた内筒とをシリンダが備え、
上記軸線を通る一平面に沿って上記キー孔から上記内筒を貫通し上記外筒の壁内に達する複数のピン案内孔が穿設され、
上記複数のピン案内孔には、長さが互いに異なる内ピンが挿入され、先端が上記キー孔内に突出するよう、外ピンを介し、スプリングにより上記キー孔に向かって付勢され、
上記キー孔内に挿入されたキーのキーコードがシリンダ錠の設定キーコードと一致した時のみ、上記複数のピン案内孔の上記内ピンと上記外ピンの接触面がすべて上記内筒と上記外筒の回転境界面と一致するようにしたシリンダを有するシリンダ錠であって、
上記内ピンと上記外ピンが、互いに吸引する極性の磁性を有することを特徴とするシリンダ錠。
【請求項２】
上記内ピンの外方端と上記外ピンの内方端に、それぞれ永久磁石が埋め込まれたことを特徴とする、請求項１記載のシリンダ錠。
【請求項３】
上記内ピン自体と上記外ピン自体が、いずれも永久磁石であることを特徴とする、請求項１記載のシリンダ錠。
【請求項４】
内面が円筒状に形成された外筒と、
該外筒の円筒状内面に回転自在に嵌装されるとともに、キーが軸線方向に抜差し自在に挿入されるキー孔が設けられた内筒とをシリンダが備え、
上記軸線を通る一平面に沿って上記キー孔から上記内筒を貫通し上記外筒の壁内に達する複数のピン案内孔が穿設され、
上記複数のピン案内孔には、長さが互いに異なる内ピンが挿入され、先端が上記キー孔内に突出するよう、外ピンを介し、スプリングにより上記キー孔に向かって付勢され、
上記キー孔内に挿入されたキーのキーコードがシリンダ錠の設定キーコードと一致した時のみ、上記複数のピン案内孔の上記内ピンと上記外ピンの接触面がすべて上記内筒と上記外筒の回転境界面と一致するようにしたシリンダを有するシリンダ錠であって、
上記内ピンと上記外ピンのうち、一方が鉄系金属で製造されており、他方が磁性を有することを特徴とするシリンダ錠。
【発明の詳細な説明】
【技術分野】
【０００１】
本発明はシリンダ錠、特に不正開錠（こじ開け）が防止されるシリンダ錠に関する。
【背景技術】
【０００２】
図７は、従来のシリンダ錠を構成するシリンダ01の一例の施錠状態を示す縦断面図、図８は図７のVIII−VIII矢視横断面図である。
【０００３】
このシリンダ01は、内面が円筒状に形成された外筒02と、その外筒02の円筒状内面に回転自在に嵌装された内筒03とを備えている。その外筒02は図示しない扉体に固着されている。また内筒03には軸線方向に沿って、キーが抜差し自在に挿入されるキー孔04が設けられている。そして上記軸線を通る一平面に沿って、上記キー孔04から上記内筒03を貫通し上記外筒02の壁内に達する複数のピン案内孔05、06が穿設され、それら複数のピン案内孔05、06には、それぞれ内ピン07と外ピン08が摺動自在に挿入され、ピン案内孔06外端を塞ぐ閉じ板010との間に挿入されたスプリング09によって内向きに（キー孔04に向けて）付勢され、内ピン07の先端が上記キー孔04内に突出している。
【０００４】
上記内ピン07の長さはマチマチ、すなわち各ピン案内孔05、06によって異なる。そして、図７および図８で示される施錠状態では、すべての外ピン08が外筒02と内筒03との回転境界面（シヤーライン）の両側に跨って位置するようになっており、キー孔04に挿入された後述するキー018のキーコードがシリンダ錠の設定キーコードと一致した状態においてのみ、複数のピン案内孔05、06内の内ピン07と外ピン08の接触面がすべて上記シヤーラインと一致するようになっている。
【０００５】
上記外筒02には、上記複数のピン案内孔06の軸線を含む平面に沿って、外筒02の内面から外面まで貫通するクリックピン案内孔011が穿設されている。そしてそのクリックピン案内孔011の中にクリックピン012および球体013が摺動自在に挿入されて、前記閉じ板010との間に嵌入されたクリックばね014により、内筒03に向けて付勢されている。一方内筒03には、上記クリックピン案内孔011に対応する位置に、クリック凹み（皿）015が設けられており、上記球体013を受け入れるようになっている。
【０００６】
なお、図７、図８中016は内筒03とともに回転できるサムターンハブ、017はドリリング防止板である。
【０００７】
次に図９は、扉体等に埋め込まれる錠本体020を示し、（ａ）は正面図（扉体等の端面から見た図）、（ｂ）は縦断側面図である。図中021は錠ケース、023はデッドボルト、024はラッチをそれぞれ示す。
【０００８】
図７、図８に示される状態では、内ピン07、外ピン08はスプリング09によりキー孔04に向かって付勢され、すべてのピン案内孔05、06において外ピン08の位置が外筒02と内筒03との回転境界面（シヤーライン）に跨っているので、外筒02と内筒03との相対回転運動は阻止される。すなわちシリンダ錠は施錠状態にある。またこの時、クリックピン012、球体013はクリックばね014により内方へ付勢されて、球体013がクリック凹み（皿）015内に進入している。
【０００９】
次に図１０、図１１に示されるように、キー018をキー孔04内に挿入すると、内ピン07、外ピン08はスプリング09の力に抗して外方へ押し出され、キーコードに応じた位置まで移動する。そして挿入されたキー018のキーコードがシリンダ01の設定キーコードと一致していれば、すべてのピン案内孔05、06において内ピン07と外ピン08との接触面が外筒02と内筒03のシヤーラインに一致する。
【００１０】
そうすると、図１２に示されるように、０１８により内筒03を外筒02に対して回転させることができる。こうしてサムターンハブ016が回転すると、図９のデッドボルト023等が駆動されて、扉体等が開かれることになる。この時、球体013（図１０）が内筒03のクリック凹み（皿）015の内面によって押され、球体013、クリックピン012はクリックばね014の力に抗してクリックピン案内孔011内を外方へ移動している。
【００１１】
その後キー018を引き抜くためには、キー018を更に回転させるか、あるいは戻すかして、内筒03と外筒02との相対関係を図１１に示された状態、すなわち外筒02と内筒03のピン案内孔05、06の軸線が一致した状態にする必要がある。そのような状態になった時には、クリックピン案内孔011とクリック凹み（皿）015の位置も一致するので、クリックピン012、球体013がクリックばね014により付勢されて、球体013がクリック凹み（皿）015内に進入する。それを手応え又は音によって確認した上キー018を引き抜く。そうすると、スプリング09により付勢された内ピン07、外ピン08はピン案内孔05、06内を内方に移動して、外ピン08が外筒02と内筒03のシヤーラインに跨って位置し、シリンダ01は再び図７、図８に示される施錠状態となる。
【発明の開示】
【発明が解決しようとする課題】
【００１２】
前記従来のシリンダ01においては、道具を使って内筒03にテンションをかけながら内ピン07を押し上げていくと、内筒03を廻すことができる（すなわちシリンダ錠を不正にこじ開けることができる。）。
【課題を解決するための手段】
【００１３】
前記課題を解決するために請求項１記載の発明は、内面が円筒状に形成された外筒と、該外筒の円筒状内面に回転自在に嵌装されるとともに、キーが軸線方向に抜差し自在に挿入されるキー孔が設けられた内筒とをシリンダが備え、上記軸線を通る一平面に沿って上記キー孔から上記内筒を貫通し上記外筒の壁内に達する複数のピン案内孔が穿設され、上記複数のピン案内孔には、長さが互いに異なる内ピンが挿入され、先端が上記キー孔内に突出するよう、外ピンを介し、スプリングにより上記キー孔に向かって付勢され、上記キー孔内に挿入されたキーのキーコードがシリンダ錠の設定キーコードと一致した時のみ、上記複数のピン案内孔の上記内ピンと上記外ピンの接触面がすべて上記内筒と上記外筒の回転境界面と一致するようにしたシリンダを有するシリンダ錠であって、上記内ピンと上記外ピンが、互いに吸引する極性の磁性を有することを特徴とするものである。
【００１４】
次に請求項２記載の発明は、上記請求項１記載の発明において、上記内ピンの外方端と上記外ピンの内方端に、それぞれ永久磁石が埋め込まれたことを特徴とするものである。
【００１５】
また請求項３記載の発明は、上記請求項１記載の発明において、上記内ピン自体と上記外ピン自体が、いずれも永久磁石であることを特徴とするものである。
【００１６】
そして請求項４記載の発明は、内面が円筒状に形成された外筒と、該外筒の円筒状内面に回転自在に嵌装されるとともに、キーが軸線方向に抜差し自在に挿入されるキー孔が設けられた内筒とをシリンダが備え、上記軸線を通る一平面に沿って上記キー孔から上記内筒を貫通し上記外筒の壁内に達する複数のピン案内孔が穿設され、上記複数のピン案内孔には、長さが互いに異なる内ピンが挿入され、先端が上記キー孔内に突出するよう、外ピンを介し、スプリングにより上記キー孔に向かって付勢され、上記キー孔内に挿入されたキーのキーコードがシリンダ錠の設定キーコードと一致した時のみ、上記複数のピン案内孔の上記内ピンと上記外ピンの接触面がすべて上記内筒と上記外筒の回転境界面と一致するようにしたシリンダを有するシリンダ錠であって、上記内ピンと上記外ピンのうち、一方が鉄系金属で製造されており、他方が磁性を有することを特徴とするものである。
【発明の効果】
【００１７】
請求項１記載の発明では、内ピンと外ピンが互いに吸引する極性の磁性を有するので、内ピンの外方端と外ピンの内方端とが接触している時には、内ピン、外ピンの軸線は常に一致するから、不正開錠をしようとしても、内ピンと外ピンの接触面を外筒と内筒のシヤーラインに合わせることは困難である。すなわち、不正開錠（こじ開け）が防止される。
【００１８】
また、開錠または施錠後にキーを引き抜く際、外筒と内筒のピン案内孔の軸線が一致した時には、内ピンと外ピンとが磁力により引き合って一体になるから、それを手応えによって感知することができ、従来のようなクリックピン、球体を含むクリック装置が不要となる。
【００１９】
次に請求項２記載の発明では、上記内ピンの外方端と上記外ピンの内方端に、それぞれ永久磁石が埋め込まれているので、内ピンと外ピンが引き合う磁力はシヤーライン近傍の狭い範囲に集中して作用し、そのため外部の磁気や磁性金属の影響を受けにくく、またピンの動きがよくなる。
【００２０】
また請求項３記載の発明では、上記内ピンと外ピンが、それ自体、永久磁石であるので、構造が簡単である。
【００２１】
そして請求項４記載の発明では、内ピンと外ピンのうち、一方が鉄系金属で製造されており、他方が磁性を有するので、安価である。
【発明を実施するための最良の形態】
【００２２】
図１は本発明の一実施形態であるシリンダ錠を構成するシリンダ１の施錠状態を示す縦断面図、図２は図１のII−II矢視横断面図である。
【００２３】
このシリンダ１は、内面が円筒状に形成された外筒２と、その外筒２の円筒状内面に回転自在に嵌装された内筒３とを備えている。その外筒２は図示しない扉体に固着されている。また内筒３には軸線方向に沿って、キーが抜差し自在に挿入されるキー孔４が設けられている。そして上記軸線を通る一平面に沿って、上記キー孔４から上記内筒３を貫通し上記外筒２の壁内に達する複数のピン案内孔５、６が穿設され、それら複数のピン案内孔５、６には、それぞれ内ピン７と外ピン８が摺動自在に挿入され、ピン案内孔６外端を塞ぐ閉じ板10との間に挿入されたスプリング９によって内向きに（キー孔４に向けて）付勢されて、内ピン７の先端が上記キー孔４内に突出している。
【００２４】
上記内ピン７の長さはマチマチ、すなわち各ピン案内孔５、６によってて異なる。そして、図１および図２で示される施錠状態では、すべての外ピン８が外筒２と内筒３との回転境界面（シヤーライン）の両側に跨って位置するようになっており、キー孔４に挿入された後述するキー18のキーコードがシリンダ錠の設定キーコードと一致した状態においてのみ、内ピン７と外ピン８の接触面が上記シヤーラインと一致するようになっている。
【００２５】
本実施形態では、上記内ピン７の外方端と上記外ピン８の内方端に、内ピン７と外ピン８が互いに吸引される向きの極性を持つ永久磁石７ａ、８ａが、それぞれ埋め込まれている。
【００２６】
なお、図１、図２中16は内筒３とともに回転できるサムターンハブ、17はドリリング防止板である。
【００２７】
図１、図２に示される状態では、内ピン７、外ピン８はスプリング９によりキー孔４に向かって付勢され、すべてのピン案内孔５、６において外ピン８の位置が外筒２と内筒３との回転境界面（シヤーライン）に跨っているので、外筒２と内筒３との相対回転運動は阻止される。すなわちシリンダ錠は施錠状態にある。
【００２８】
次に図３、図４に示されるように、キー18をキー孔４内に挿入すると、内ピン７、外ピン８はスプリング９の力に抗して外方へ押し出され、キーコードに応じた位置まで移動する。そして挿入されたキー18のキーコードがシリンダ１の設定キーコードと一致していれば、すべてのピン案内孔５、６において内ピン７と外ピン８との接触面が外筒２と内筒３のシヤーラインに一致する。
【００２９】
そうすると、図５に示されるように、キー18により内筒３を外筒２に対して回転させることができる。こうしてサムターンハブ16が回転すると、図示されないデッドボルト等が駆動されて、扉体等が開かれることになる。
【００３０】
その後キー18を引き抜くためには、キー18を更に回転させるか、あるいは戻すかして、内筒３と外筒２との相対関係を図４に示された状態、すなわち外筒２と内筒３のピン案内孔５、６の軸線が一致した状態にする必要がある。本実施形態では、内ピン７の外方端と外ピン８の内方端にそれぞれ永久磁石７ａ、８ａが埋め込まれて、内ピン７と外ピン８が互いに引き合っているので、外筒２と内筒３のピン案内孔５、６の軸線が一致した時には、内ピン７と外ピン８とが磁力により引き合って一体になる。それは手応えによって感知することができるから、その手応えを確認した上キー18を引き抜く。そうすると、スプリング９により付勢された内ピン７、外ピン８はピン案内孔５、６内を内方に移動して、外ピン８が外筒２と内筒３のシヤーラインに跨って位置し、シリンダ１は再び図１、図２に示される施錠状態となる。このように本実施形態では、従来のようなクリックピン012、球体013を含むクリック装置（図７、図１０参照）が不要となる。
【００３１】
本実施形態では、内ピン７と外ピン８が、埋め込まれた永久磁石７ａ、８ａによって互いに引き合っているので、不正開錠をしようと、道具を使って内筒３にテンションをかけても、図６に示されるように、内ピン７の外方端と外ピン８の内方端とが接触している時には、両ピン７、８の軸線は常に一致して、あたかも縦につながった一本の長いピンのようになり、したがって内ピン７と外ピン８の接触面を外筒２と内筒３のシヤーラインに合わせることは困難である。すなわち、不正開錠（こじ開け）が防止される。
【００３２】
本実施形態ではまた、内ピン７と外ピン８の端部に永久磁石７ａ、８ａが埋め込まれているので、内ピン７と外ピン８が引き合う磁力はシヤーライン近傍の狭い範囲に集中して作用し、そのため外部の磁気や磁性金属の影響を受けにくく、またピン７、８の動きがよくなる。
【００３３】
前記実施形態では、内ピン７の外方端と外ピン８の内方端に、それぞれ永久磁石７ａ、８ａが埋め込まれていたが、内ピン７自体と外ピン８自体を互いに吸引する極性の永久磁石にしてもよい。また内ピン７と外ピン８のうち、いずれか一方を鉄系金属で製造し、他方は端部に永久磁石を埋め込むか、ピン全体を永久磁石とするかして、片方だけが磁性を有するようにしてもよい。
【図面の簡単な説明】
【００３４】
【図１】図１は本発明の一実施形態であるシリンダ錠を構成するシリンダ１の施錠状態を示す縦断面図である。
【図２】図２は図１のII−II矢視横断面図である。
【図３】図３は図１のシリンダ１にキー18を挿入した状態を示す縦断面図である。
【図４】図４は図３のIV-IV矢視横断面図である。
【図５】図５は図３で挿入したキー18を廻した状態を示す縦断面図である。
【図６】図６は図２の内筒３にテンションをかけた状態を示す模式図である。
【図７】図７は従来のシリンダ錠を構成するシリンダ01の一例の施錠状態を示す縦断面図である。
【図８】図８は図７のVIII-VIII矢視横断面図である。
【図９】図９は扉体等に埋め込まれる錠本体020を示す図で、（ａ）は正面図、（ｂ）は縦断側面図である。
【図１０】図１０は図７のシリンダ01にキー018を挿入した状態を示す縦断面図である。
【図１１】図１１は図１０のXI-XI矢視横断面図である。
【図１２】図１２は図１０で挿入したキー018を廻した状態を示す縦断面図である。
【符号の説明】
【００３５】
01…シリンダ、02…外筒、03…内筒、04…キー孔、05、06…ピン案内孔、07…内ピン、08…外ピン、09…スプリング、010…閉じ板、011…クリックピン案内孔、012…クリックピン、013…球体、014…クリックばね、015…クリック凹み（皿）、016…サムターンハブ、017…ドリリング防止板、018…キー、020…錠本体、021…錠ケース、023…デッドボルト、024…ラッチ、
１…シリンダ、２…外筒、３…内筒、４…キー孔、５、６…ピン案内孔、７…内ピン、７ａ…永久磁石、８…外ピン、８ａ…永久磁石、９…スプリング、10…閉じ板、16…サムターンハブ、17…ドリリング防止板、18…キー。
【図１】
2005290909.tif 000003
【図２】
2005290909.tif 000004
【図３】
2005290909.tif 000005
【図４】
2005290909.tif 000006
【図５】
2005290909.tif 000007
【図６】
2005290909.tif 000008
【図７】
2005290909.tif 000009
【図８】
2005290909.tif 000010
【図９】
2005290909.tif 000011
【図１０】
2005290909.tif 000012
【図１１】
2005290909.tif 000013
【図１２】
2005290909.tif 000014
【手続補正書】
【提出日】平成16年4月23日(2004.4.23)
【手続補正１】
【補正対象書類名】明細書
【補正対象項目名】０００６
【補正方法】変更
【補正の内容】
【０００６】
なお、図７、図８中016は内筒03とともに回転できるシリンダカム、017はドリリング防止板である。
【手続補正２】
【補正対象書類名】明細書
【補正対象項目名】０００７
【補正方法】変更
【補正の内容】
【０００７】
次に図９は、扉体等に埋め込まれる錠本体020を示し、（ａ）は正面図（扉体等の端面から見た図）、（ｂ）は縦断側面図である。図中021は錠ケース、022はサムターンハブ、023はデッドボルト、024はラッチをそれぞれ示す。
【手続補正３】
【補正対象書類名】明細書
【補正対象項目名】００１０
【補正方法】変更
【補正の内容】
【００１０】
そうすると、図１２に示されるように、０１８により内筒03を外筒02に対して回転させることができる。こうしてシリンダカム016が回転すると、図９のサムターンハブ022，デッドボルト023等が駆動されて、扉体等が開かれることになる。この時、球体013（図１０）が内筒03のクリック凹み（皿）015の内面によって押され、球体013、クリックピン012はクリックばね014の力に抗してクリックピン案内孔011内を外方へ移動している。
【手続補正４】
【補正対象書類名】明細書
【補正対象項目名】００２６
【補正方法】変更
【補正の内容】
【００２６】
なお、図１、図２中16は内筒３とともに回転できるシリンダカム、17はドリリング防止板である。
【手続補正５】
【補正対象書類名】明細書
【補正対象項目名】００２９
【補正方法】変更
【補正の内容】
【００２９】
そうすると、図５に示されるように、キー18により内筒３を外筒２に対して回転させることができる。こうしてシリンダカム16が回転すると、図示されないサムターンハブ、デッドボルト等が駆動されて、扉体等が開かれることになる。
【手続補正６】
【補正対象書類名】明細書
【補正対象項目名】００３５
【補正方法】変更
【補正の内容】
【００３５】
01…シリンダ、02…外筒、03…内筒、04…キー孔、05、06…ピン案内孔、07…内ピン、08…外ピン、09…スプリング、010…閉じ板、011…クリックピン案内孔、012…クリックピン、013…球体、014…クリックばね、015…クリック凹み（皿）、016…シリンダカム、017…ドリリング防止板、018…キー、020…錠本体、021…錠ケース、022…サムターンハブ、023…デッドボルト、024…ラッチ、
１…シリンダ、２…外筒、３…内筒、４…キー孔、５、６…ピン案内孔、７…内ピン、７ａ…永久磁石、８…外ピン、８ａ…永久磁石、９…スプリング、10…閉じ板、16…シリンダカム、17…ドリリング防止板、18…キー。
【手続補正７】
【補正対象書類名】図面
【補正対象項目名】図９
【補正方法】変更
【補正の内容】
【図９】
2005290909.tif 000015